(57)【要約】【課題】  一般ユーザがズーム操作を行う場合には、一度のズーム操作によって目的画角に到達することが難しく、目的の画角に到達するまでにズームインし過ぎたり、ズームアウトし過ぎたりし、ズーム操作の行き過ぎ戻り過ぎにより再生画像が見難くなる場合がある。【解決手段】  表示部は画角変更動作に同期した画像信号を供給し、撮像光学系は前記表示部より大きい画角となるように制御し、前記画角にて仮記録部に記録し、画角変更が終了し目標画角決定した後に画角変更開始から画角変更終了までを仮記録部から切り出して記録部に記録することを特徴としている。【選択図】  図１
2010283649.tif 000002
【特許請求の範囲】
【請求項１】
変倍可能な撮像光学系の光学制御部及び  表示部に供給する為の第１の画像信号生成部  及び記録部へ供給する画像の電気的処理が可能な第２の画像信号生成部、及び撮像光学系と第１の画像信号生成部と第２の画像信号生成部の画角を制御する為の画角制御データ生成部を有することを特徴とする撮像装置。
【請求項２】
表示部には画角変更手段に同期した画像信号を供給し、常に撮像光学系の画角が前記表示部の画角より大きくなるように制御し、前記撮像光学系の画角にて仮記録部に記録し、前記画角変更手段により画角変更の指示があり、続いて前記画角変更の指示が終了した時点から一定時間画角変更の指示が無い時点での画角を目標画角とし、前記目標画角決定した後に画角変更開始から画角変更終了までを仮記録部から切り出して記録部に記録することを特徴とする請求項１記載の撮像装置。
【請求項３】
表示部には画角変更動作に同期した画像信号を供給し、常に撮像光学系の画角が前記表示部の画角より大きくなるように制御し、前記撮像光学系の画角にて記録部に記録し、前記画角変更手段により画角変更の指示があり、続いて前記画角変更の指示が終了した時点から一定時間画角変更の指示が無い時点での画角を目標画角とし、記録画像再生時に画角変更開始から画角変更終了までを記録部から切り出して画像表示部に表示することを特徴とする請求項１記載の撮像装置。
【請求項４】
前記表示部の画角より大きくなるように制御された前記撮像光学系の画角は、前記撮像光学系の最大画角であることを特徴とする請求項２または３記載の撮像装置。
【請求項５】
仮記録部から切出して記録部に記録する際の、切出し画角制御データを選択可能としたことを特徴とする請求項２記載の撮像装置。
【請求項６】
記録部から切出して画像表示部に表示する際の、切出し画角制御データを選択可能としたことを特徴とする請求項３記載の撮像装置。
【請求項７】
撮像光学系及び、表示部に供給する為の第１の画像信号生成部  及び記録部へ供給する画像の電気的処理が可能な第２の画像信号生成部、及び第１の画像信号生成部と第２の画像信号生成部の画角を制御する為の画角制御データ生成部を有し、表示部には画角変更手段に同期した画像信号を供給し、前記撮像光学系の画角にて仮記録部に記録し、画角変更の指示があり、続いて前記画角変更の指示が終了した時点から一定時間画角変更の指示が無い時点での画角を目標画角とし、前記目標画角決定した後に画角変更開始から画角変更終了までを仮記録部から切り出して記録部に記録することを特徴とする撮像装置。
【発明の詳細な説明】
【技術分野】
【０００１】
本発明は撮像装置などに用いられる、撮影画像の画角調整に関するものである。
【背景技術】
【０００２】
撮影倍率やズーム速度を変更可能な動画撮影装置は知られている（特許文献１）。この種の装置において、被写体を所望のサイズで撮影したり、被写体にズームインあるいは被写体からズームアウトするような撮影効果を得たりする場合には、ユーザ自らがズーム操作を行わなければならない。
【０００３】
なお、被写体のサイズ変化に合わせたズーム調整を行う為に、被写体のサイズ変化量を用いて、ズーム調整する手法が開示されている。（特許文献２）
また、光学ズームと電子ズームを併用することにより、高速ズームの実現と画像劣化を抑える手法が開示されている（特許文献３）。
【先行技術文献】
【特許文献】
【０００４】
【特許文献１】特開平７−４３５９０号公報
【特許文献２】特開２００７−２５１４２９号公報
【特許文献３】特開平１０−０４２１８３号公報
【発明の概要】
【発明が解決しようとする課題】
【０００５】
しかしながら、一般ユーザがズーム操作を行う場合には、一度のズーム操作によって目的画角に到達することが難しく、目的の画角に到達するまでにズームインし過ぎたり、ズームアウトし過ぎたりし、ズーム操作の行き過ぎ戻り過ぎにより再生画像が見難くなる場合がある。
【０００６】
本発明は、以上のような局面に鑑みてなされたもので、上記の問題点を解決するための手段の提供を目的としている。
【課題を解決するための手段】
【０００７】
本発明の撮像装置は、変倍可能な撮像光学系の光学制御部及び  表示部に供給する為の第１の画像信号生成部  及び記録部へ供給する画像の電気的処理が可能な第２の画像信号生成部、及び光学制御部及び画像信号生成部及び  撮像光学系と第１の画像信号生成部と第２の画像信号生成部の画角を制御する為の画角制御データ生成部を有することを特徴としている。
【０００８】
また、本発明の他の特徴とするところは、表示部は画角変更動作に同期した画像信号を供給し、撮像光学系は前記表示部より大きい画角となるように制御し、前記画角にて仮記録部に記録し、画角変更が終了し目標画角決定した後に画角変更開始から画角変更終了までを仮記録部から切り出して記録部に記録することを特徴としている。
【発明の効果】
【０００９】
本発明によれば、撮像画像を再生する際にズーム操作の行き過ぎ戻り過ぎを低減でき、ユーザーが再生画像を見る際の不快感を低減できる。
【図面の簡単な説明】
【００１０】
【図１】本発明の第１の実施形態を説明するブロック図。
【図２】本発明の第１の実施形態における目標画角設定を説明する図。
【図３】本発明の第１の実施形態における各画角の関係を説明する図。
【図４】本発明の第１の実施形態における画角制御データを説明する図。
【図５】本発明の第１の実施形態を説明するフローチャート。
【図６】本発明の第２の実施形態を説明する撮影時のブロック図。
【図７】本発明の第２の実施形態を説明する再生時のブロック図。
【図８】本発明の第２の実施形態における目標画角設定を説明する図。
【図９】本発明の第２の実施形態における画角制御データを説明する図。
【図１０】本発明の第２の実施形態を説明するフローチャート。
【図１１】本発明の第３の実施形態を説明するブロック図。
【図１２】本発明の第３の実施形態における目標画角設定を説明する図。
【図１３】本発明の第３の実施形態における画角制御データを説明する図。
【図１４】本発明の第３の実施形態を説明するフローチャート。
【発明を実施するための形態】
【００１１】
（実施例１）
実施例１では、撮影時に光学系の制御と共に画像処理も行い、最適化された画像を記録するシステムを説明する。
【００１２】
図１は、本発明の第１の実施形態を示すブロック図である。１０１は光学レンズや、絞りなどからなる撮像光学系、１０２は光情報を電気信号に変換する撮像素子である。カメラ信号処理部１０３では、撮像素子１０２からの電気信号に処理（ノイズ除去，レベル変換等）を施し、撮像画像信号（Ａ）１２６として出力する。
【００１３】
記録処理部１０４では、撮像画像信号（Ａ）１２６を、圧縮、変調などの記録処理を施し、バッファメモリ１０５に出力し、ＤＲＡＭ等のバッファメモリ１０５に仮記録される。
【００１４】
画像処理部１０６では画角制御データ生成部１１１からの画角制御データ（Ｃ）１２３に従って、バッファメモリ１０５に仮記録されている撮影画像情報から、画像を切出しを行う。前記画角制御データ（Ｃ）１２３については、図３を用いて後述する。
【００１５】
１０７は最終的な記録媒体であり、画像処理部１０６から読み出された撮影画像情報を記録媒体１０７に書き込む構成になっている。
【００１６】
前記記録媒体１０７はハード・ディスク装置や、フレキシブル磁気ディスクの駆動装置、光ディスク駆動装置、光磁気ディスク駆動装置、及び、フラッシュメモリなどからなる固体メモリ装置であってもよい。固体メモリ装置としては、カード型のメモリ・カードが知られている。
【００１７】
１０８はズームキーなどの操作スイッチからなる操作部であり、画角指示を含む種々の指示をシステム制御部１０９に入力する。
【００１８】
１０９は全体を制御するシステム制御部であり、操作部１０８からの画角指示により補正曲線データ部１１０に入っている画角制御データ（Ｃ−１）１４１、（Ｃ−２）１４２、（Ｃ−３）１４３の中から１つを選択し、記録画像の画角制御を行う。前記補正曲線データ部１１０及び前記画像制御データについては図４を用いて後述する。
【００１９】
画像処理部１１２では、カメラ信号処理部１０３から出力された撮影画像信号（Ｂ）１２７を、画角制御データ生成部１１１で生成された画角制御データ（Ａ）１２１に従って、切出し処理を行う。前記画角制御データ（Ａ）１２１については、図３を用いて後述する。１１３では表示映像生成部１１６にて生成された、画像表示部１１５に表示するバッテリー情報や、撮影情報などと画像処理部１１２で切出した映像信号を合成する。
【００２０】
表示信号処理部１１４では、デジタル映像信号が、所定の信号処理が施され、もとのアナログ映像信号に戻され、電子ビューファインダとしての、画像表示部１１５に供給される。
【００２１】
変倍系駆動部１１８は、画像制御データ生成部１１１で生成された画角制御データ（Ｂ）１２２に従い、撮像光学系１０１の変倍動作を制御し、変倍系エンコーダ１１７は、前記撮像光学系１０１の変倍系位置データ１２４を取得し、画角データ生成部１１１に供給する。前記画角制御データ（Ｂ）１２２については、図２を用いて次に説明する。
【００２２】
画像制御データ（Ａ）、（Ｂ）、（Ｃ）につき、図２を用いて詳しく説明する。図２は各画像制御データの時間と撮像画角の関係を示すものであり、横軸に時間、縦軸に撮像画角を示している。
【００２３】
画像制御データ（Ａ）１２１は、電子的な画角制御であり、ユーザーによる操作部１０８からの入力に基づき、ユーザーのズーム操作に対応した画像を切出すための制御データである。また、前記画像制御データ（Ａ）１２１は画像表示部１１５に表示する為に使用される。
【００２４】
画像制御データ（Ｂ）１２２は、光学的な画角制御であり、表示用の画角制御データ（Ａ）１２１よりも常に広い画角となる。例えば常に前記画像制御データ（Ｂ）１２２をＷＩＤＥ端が最大画角であり、それ以下の画角である場合には、常に前記画像制御データ（Ａ）１２１の２倍の画角となるように設定する。次に、前記画角制御データ（Ｂ）１２２により切出された撮影画像がバッファメモリ１０５に仮記録される。
【００２５】
画像制御データ（Ｃ）１２３は、ユーザーによるズーム操作が終了し、ユーザーの目標とする画角までを、画角制御データ（Ａ）１２１のような画角変更の停止や反転がないように画角変更を行う画角制御データである。また、画角変更開始から、目標画角決定となる所定時間Ｔ０をなすｔ１までの画角変化を制御するものであり、ｔ２以降は次の画角変更が入力されるまで目標画角で固定される。前記画角制御データ（Ｃ）１２３により切出した撮影画像が記録媒体１０７に記録される。前記画角制御データ（Ｃ）は補正曲線データ部１１０に収められており、ユーザーが任意に選択可能である。
【００２６】
次に、目標画角の設定方法について図２を用いて説明する。
【００２７】
図中示すように、ユーザーのズーム操作による撮像画角変更を終了した時点ｔ１から所定時間Ｔ０（ｔ１からｔ２まで）まで次の撮像画角の変更が無い場合には、ｔ１時点での画角を目標画角として決定する。
【００２８】
所定時間はバッファメモリ１０５や処理能力に応じて任意に設定可能である。
【００２９】
図３は図２で説明した画角の関係を示す図である。１８１は本発明の撮像装置で撮像可能な最大撮像画角（ＷＩＤＥ端）、１８２は実撮影時の光学撮像画角、１８３はバッファメモリから切り出され記録部に最終記録される記録画角、１８４は撮影画像信号（Ｂ）１２７から画角制御データ（Ａ）１２１により切り出され、画像表示装置に表示される表示画角である。それぞれの画角の大小関係は図に示す順になっており、前記記録画角１８３は撮影画像信号（Ａ）１２６から画角制御データ（Ｃ）１２３に基づき切り出し処理が行われても画質劣化が生じないように光学撮像画角１８４より小さくなるよう設定されている。
【００３０】
図４は画像記録データを切出す画像制御データ（Ｃ）１２３の時間と撮像画角の関係を示すものであり、横軸に時間、縦軸に撮像画角を示している。これを用いて選択可能な画像制御データ（Ｃ）１２３について説明する。画角制御データ（Ｃ）１２３は補正曲線データ部１１０に収められており、システム制御部１０９からの指令に応じて適当な画角制御データを選択的に出力する。
【００３１】
図中、画角制御データ（Ｃ−１）１４１は、撮像動作開始から終了までを線形的に画角変更するものである。
【００３２】
画角制御データ（Ｃ−２）１４２は、撮像動作開始から終了までをＷＩＤＥからＴＥＬＥに変化する際に、画角変更の初期段階は、画角変更の速度が遅くなるように画角を変更し、ＴＥＬＥ側に近づくに従って画角変更の速度が速くなるように画角変更するものである。
【００３３】
画角制御データ（Ｃ−３）１４３は、撮像動作開始から終了までをＷＩＤＥからＴＥＬＥに変化する際に、画角変更の初期段階は、画角変更の速度が速くなるように画角を変更し、ＴＥＬＥ側に近づくに従って画角変更の速度が遅くなるように画角変更するものである。
【００３４】
上記画角変更データは、ユーザーが任意に選択可能であっても良いし、画角変更データ（Ａ）１２１を元に、前記画角変更データ（Ａ）１２１に近いデータを自動で選択しても良い。
【００３５】
以下、上述のような構成を備える撮像装置の撮影時の動作制御を図５のフローチャートを用いて説明する。
【００３６】
ステップＳ１５０にて、撮像装置に電源スイッチ（不図示）がＯＮされ、撮影が開始されるとフローがスタートする。
【００３７】
ステップＳ１５１では、操作部１０８から撮像画角変更の指示があるか否かを判断する。
【００３８】
撮像画角の変更が有る場合は、ステップＳ１５２へ進む。撮像画角の変更が無い場合は、ステップＳ１５１へ戻る。
【００３９】
ステップＳ１５２では、操作部１０８から指画角変更指示に対応する画角で画像表示部の画角設定を行う。このステップＳ１５２で設定する画角が画角制御データ（Ａ）１２１である。
【００４０】
ステップＳ１５３では、前記ステップＳ１５２で設定した画角制御データ（Ａ）１２１の２倍の画角で撮像光学系を設定する。このステップＳ１５３で設定する画角が画角制御データ（Ｂ）１２２である。
【００４１】
次に、前記画角制御データの設定が終了するとステップＳ１５４に移り、撮像画像信号（Ａ）をバッファメモリ１０５に仮記録する。
【００４２】
仮記録を終えるとステップＳ１５６に進み、操作部１０８から撮像画角変更の指示があるか否かを判断する。撮像画角に変更がある場合は、ステップＳ１５２に戻る。
【００４３】
撮像画角に変更がない場合は、ステップＳ１５７に進み、本フローが進む中で最後に撮像画角変更を行ってから所定時間Ｔ０経過しているか否かを判断する。
【００４４】
Ｔ０経過している場合には、Ｓ１５９に進み、Ｔ０経過していない場合は、ステップＳ１５４に戻る。
【００４５】
ステップＳ１５９では、ステップＳ１５７において本フローが進む中で最後に撮像画角変更を行ってから所定時間Ｔ０経過していると判断した時点ｔ１での画角を目標画角として設定する。
【００４６】
ステップＳ１６０では、撮像画角変更の開始から所定時間Ｔ０変更無しとなるまでの画角を停止あるいは反転が無いように変更させるような切出し画角を記録媒体に記録する為の記録用画角と設定する。ここで、図１に示す補正曲線データ部１１０から画像の切り出しを行う画角制御データ（Ｃ）１２３を図５で説明した画角制御データ（Ｃ−１）（Ｃ−２）（Ｃ−３）から選択可能である。
【００４７】
ステップＳ１６１では、バッファメモリ１０５に仮記録していた撮像画像情報を再生し、ステップＳ１６２で前記ステップＳ１６０で設定した画角制御データ（Ｃ）１２３により、前記ステップＳ１６１で再生した撮像画像情報を切出し処理を行う。
【００４８】
ステップＳ１６３では、前記ステップＳ１６２で切出し処理を行った撮像画像情報を記録媒体に記録を行う。
【００４９】
以上、説明したように本発明に係る撮像装置によれば、撮像画像を記録する際にズーム操作の行き過ぎ戻り過ぎを低減でき、ユーザーが再生画像を見る際の不快感を低減できる。
【００５０】
（実施例２）
実施例２では、撮影時のズーム（画角）操作情報等を画像情報と共に記録し、再生時に画角最適化処理を行うシステムを説明する。
【００５１】
図６、７は、本発明の第２の実施形態を示すブロック図である。図６は記録系のブロック図、図７は再生系のブロック図である。まず図６に示す記録系の構成をブロック図を用いて説明する。
【００５２】
２０１は光学レンズや、絞りなどからなる撮像光学系、２０２は光情報を電気信号に変換する撮像素子である。カメラ信号処理部２０３では、撮像素子２０２からの電気信号に処理（ノイズ除去，レベル変換等）を施し、撮像画像信号（Ａ）２２６として出力する。
【００５３】
記録処理部２０４では、撮像画像信号（Ａ）２２６を、圧縮、変調などの記録処理を施して出力し、記録媒体２０７に記録される。
【００５４】
前記記録媒体２０７はハード・ディスク装置や、フレキシブル磁気ディスクの駆動装置、光ディスク駆動装置、光磁気ディスク駆動装置、及び、フラッシュメモリなどからなる固体メモリ装置であってもよい。固体メモリ装置としては、カード型のメモリ・カードが知られている。
【００５５】
２０８はズームキーなどの操作スイッチからなる操作部であり、画角指示を含む種々の指示をシステム制御部２０９に入力する。
【００５６】
２０９は全体を制御するシステム制御部であり、操作部２０８からの画角指示により画角制御を行う。また、前記システム制御部２０９からの画角指示データ２２５及び変倍系の位置データ２２４を記録処理部２０４から出力された撮影画像情報と合わせて記録媒体２０７に書き込む構成になっている。
【００５７】
画像処理部２１２では、カメラ信号処理部２０３から出力された撮影画像信号（Ｂ）２２７を、画角制御データ生成部２１１で生成された画角制御データ（Ａ）２２１に従って、切出し処理を行う。前記画角制御データ（Ａ）２２１については図８を用いて詳しく説明する。２１３では表示映像生成部２１６にて生成された、画像表示部２１５に表示するバッテリー情報や、撮影情報などと画像処理部２１２で切出した映像信号を合成する。
【００５８】
表示信号処理部２１４では、デジタル映像信号が、所定の信号処理が施され、もとのアナログ映像信号に戻され、電子ビューファインダとして画像表示部２１５に供給される。
【００５９】
変倍系駆動部２１８は、画像制御データ生成部２１１で生成された画角制御データ（Ｂ）２２２に従い、撮像光学系２０１の変倍動作を制御し、変倍系エンコーダ２１７は、前記撮像光学系２０１の変倍系位置データを取得し、画角データ生成部２１１に供給する。前記画角制御データ（Ｂ）２２２については図８を用いて詳しく説明する。
【００６０】
次に再生系における構成について、図７に示すブロック図で説明する。
【００６１】
記録媒体２０７には、記録時に撮像画像信号（Ａ）が記録されており、再生時には前記記録媒体２０７から撮影画像を出力し、再生処理部２２０において、再生用のフォーマットに変換処理などを行う。データ分離部２２１において、画角指示データ２２５及び変倍系位置データ２２４と、撮影画像データ２２８とに分離する。前記画角指示データ２２５及び変倍系位置データ２２４はシステム制御部２１１へ出力し、前記撮像画像データ２２８は、バッファメモリ２０６に一時保存する。
【００６２】
操作部２０８からの指示により、補正曲線データ部２１０に入っている画角制御データ（Ｃ−１）２４１、（Ｃ−２）２４２、（Ｃ−３）２４３の中から１つを選択し、画角制御データ生成部２１１において、画角制御データ（Ｃ）２２３を生成する。前記画角制御データ（Ｃ）２２３については図８を用いて詳しく説明する。
【００６３】
２１２では前記画角制御データ生成部２１１からの画角制御データ（Ｃ）２２３に従って、バッファメモリ２０５に一時保存されている撮影画像データ２２８から、画像を切出しを行う。
【００６４】
出力映像信号処理部２２２において、再生用のフォーマットや、データの伸張等を行い、画像表示部に出力する。
【００６５】
次に前記画像制御データ（Ａ）、（Ｂ）、（Ｃ）につき、図８を用いて詳しく説明する。
【００６６】
図８は各画像制御データの時間と撮像画角の関係を示すものであり、横軸に時間、縦軸に撮像画角を示しており、それぞれ（ａ）が記録時、（ｂ）が再生時の画像制御データを説明する図である。
【００６７】
画像制御データ（Ａ）２２１及び画像制御データ（Ｂ）２２２は記録時に使用し、画像制御データ（Ｃ）２２３は再生時に使用する。
【００６８】
画像制御データ（Ａ）２２１は、電子的な画角制御であり、操作部２０８からの入力に基づき、ユーザーのズーム操作に対応した画像を切出すための制御データである。また、前記画像制御データ（Ａ）２２１は画像表示部２１５に表示する為に使用される。
【００６９】
画像制御データ（Ｂ）２２２は、光学的な画角制御であり、表示用の画角制御データ（Ａ）２２１よりも常に広い画角となる。例えば常に前記画像制御データ（Ｂ）２２２をＷＩＤＥ端が最大画角であり、それ以下の画角である場合には、常に前記画像制御データ（Ａ）２２１の２倍の画角となるように設定する。
【００７０】
画像制御データ（Ｃ）２２３は、再生時に目標画角までを、画角制御データ（Ａ）２２１のような画角変更の停止や反転がないように画角変更を行う画角制御データである。また、画角変更開始時点、目標画角決定となる所定時間Ｔ０をなすｔ１までの画角変化を制御するものであり、ｔ２以降は次の画角変更が入力されるまで目標画角で固定される。また、前記画角制御データ（Ｃ）２２３により切出した撮影画像が画像表示部２１５に表示される。
【００７１】
次に、目標画角の設定方法について同じく図８を用いて説明する。
【００７２】
図８（ａ）中に示す実線２２１はユーザーによる操作部２０８からのズーム操作入力信号である。図に示すように、ユーザーのズーム操作による撮像画角変更を終了した時点ｔ１から所定時間Ｔ０（ｔ１からｔ２まで）まで次の撮像画角の変更が無い場合には、ｔ１時点での画角を目標画角として決定する。
【００７３】
所定時間はバッファメモリ２０５や処理能力に応じて任意に設定可能である。
【００７４】
前記ステップＳ２７２で述べた選択可能な画像制御データ（Ｃ）２２３につき図９を用いて説明する。画角制御データは補正曲線データ２１０に収められており、システム制御部２０９からの指令に応じて適当な画角制御データを選択的に出力する。
【００７５】
図９は画像記録データを切出す画像制御データ（Ｃ）２２３の時間と撮像画角の関係を示すものであり、横軸に時間、縦軸に撮像画角を示している。これを用いて選択可能な画像制御データ（Ｃ）２２３について説明する。画角制御データ（Ｃ）２２３は補正曲線データ部２１０に収められており、システム制御部２０９からの指令に応じて適当な画像制御データを選択的に出力する。
【００７６】
図中、画角制御データ（Ｃ−１）２４１は、撮像動作開始から終了までを線形的に画角変更するものである。
【００７７】
画角制御データ（Ｃ−２）２４２は、撮像動作開始から終了までをＷＩＤＥからＴＥＬＥに変化する際に、画角変更の初期段階は、画角変更の速度が遅くなるように画角を変更し、ＴＥＬＥ側に近づくに従って画角変更の速度が速くなるように画角変更するものである。
【００７８】
画角制御データ（Ｃ−３）２４３は、撮像動作開始から終了までをＷＩＤＥからＴＥＬＥに変化する際に、画角変更の初期段階は、画角変更の速度が速くなるように画角を変更し、ＴＥＬＥ側に近づくに従って画角変更の速度が遅くなるように画角変更するものである。
【００７９】
上記画角変更データは、ユーザーが任意に選択可能であっても良いし、画角変更データ（Ａ）２４１を元に、前記画角変更データ（Ａ）２４１に近いデータを自動で選択しても良い。
【００８０】
以下、上述のような構成を備える撮像装置の撮影時の動作制御を図１０のフローチャートを用いて説明する。
【００８１】
まず記録時のフローを説明する。ステップＳ２５０にて、撮像装置に電源スイッチ（不図示）がＯＮされ、撮影が開始されるとフローがスタートする。
【００８２】
ステップＳ２５１では、操作部２０８から撮像画角変更の指示があるか否かを判断する。
【００８３】
撮像画角の変更が有る場合は、ステップＳ２５２へ進む。撮像画角の変更が無い場合は、ステップＳ２５１へ戻る。
【００８４】
ステップＳ２５２では、操作部２０８から指画角変更指示に対応する画角で画像表示部の画角設定を行う。このステップＳ２５２で設定する画角が画角制御データ（Ａ）である。
【００８５】
ステップＳ２５３では、前記ステップＳ２５２で設定した画角制御データ（Ａ）の２倍の画角で撮像光学系を設定する。このステップＳ２５３で設定する画角が画角制御データ（Ｂ）である。
【００８６】
次に、前記画角制御データの設定が終了するとステップＳ２５４に移り、撮像画像信号（Ａ）を及び操作部２０８からの画角指示でデータ２２５及び、撮像光学系２０１の変倍系位置データ２２４を記録媒体２０７に記録する。
【００８７】
記録を終えるとステップＳ２５６に進み、操作部２０８から撮像画角変更の指示があるか否かを判断する。撮像画角に変更がある場合は、ステップＳ２５２に戻る。
【００８８】
撮像画角に変更がない場合は、ステップＳ２５８に進み、本フローが進む中で最後に撮像画角変更を行ってから所定時間Ｔ０経過しているか否かを判断する。
【００８９】
Ｔ０経過している場合には、Ｓ２５９に進み、Ｔ０経過していない場合は、ステップＳ２５４に戻る。
【００９０】
ステップＳ２５９では、ステップＳ２５８において本フローが進む中で最後に撮像画角変更を行ってから所定時間Ｔ０経過していると判断した時点ｔ１での画角を目標画角として設定する。
【００９１】
ステップＳ２６０では、前記ステップＳ２５９で設定した目標画角を記録媒体２０７に記録する。
【００９２】
次に再生時のフローを説明する。ステップＳ２７０にて撮像装置に電源スイッチ（不図示）がＯＮされ、撮影が開始されるとフローがスタートする。
【００９３】
ステップＳ２７１において、記録媒体２０７に記録した撮像画像データを再生する。次にステップＳ２７２では、記録媒体２０７に記録した画角指示データ２２５を用いて、撮像画角変更の開始から所定時間Ｔ０変更無しとなるまでの画角（目標画角）を停止あるいは反転が無いように変更させるような切出し画角を記録媒体に記録する為の記録用画角として設定する。これが画角制御データ（Ｃ）２２３である。ここで、図７に示す補正曲線データ部１１０から画像の切り出しを行う画角制御データ（Ｃ）２２３を図９で説明した画角制御データ（Ｃ−１）（Ｃ−２）（Ｃ−３）から選択可能である。
【００９４】
画角制御データ（Ｃ）２２３を設定した後、ステップＳ２７３ではステップＳ２７１にて再生した撮像画像データをステップＳ２７２で設定した画像制御データ（Ｃ）２２３を用いて切り出し処理を行う。
【００９５】
ステップＳ２７４では、前記ステップＳ２７３で切出し処理を行った撮像画像データを画像表示部に表示する又は、出力端子から外部の表示装置に出力する。
【００９６】
以上、説明したように本発明に係る撮像装置によれば、撮像画像再生時におけるズーム操作の行き過ぎ戻り過ぎを低減でき、ユーザーが画像を見る際の不快感を低減できる。
【００９７】
また、再生時に画角データをユーザーが選択可能であるため、撮影画像の内容に応じた画像制御データを適用でき、撮影画像にズームイン、ズームアウトの視覚的効果を与えることができる。
【００９８】
（実施例３）
実施例３では、撮影用の光学系を単焦点型としたシンプルな構成のシステムを説明する。
【００９９】
図１１は、本発明の第１の実施形態を示すブロック図である。３０１は光学レンズや、絞りなどからなる撮像光学系、３０２は光情報を電気信号に変換する撮像素子である。カメラ信号処理部３０３では、撮像素子３０２からの電気信号に処理（ノイズ除去，レベル変換等）を施し、撮像画像信号（Ａ）３２６として出力する。
【０１００】
記録処理部３０４では、撮像画像信号（Ａ）３２６を、圧縮、変調などの記録処理を施し、バッファメモリ３０５に出力し、バッファメモリ３０５に仮記録する。
【０１０１】
３０６では画角制御データ生成部３１１からの画角制御データ（Ｃ）３２３に従って、バッファメモリ３０５に仮記録されている撮影画像情報から、画像を切出しを行う。前記画角制御データ（Ｃ）３２３については、図３を用いて後述する。
【０１０２】
３０７は最終的な記録媒体であり、３０６画像切出しから読み出された撮影画像情報を記録媒体３０７に書き込む構成になっている。
【０１０３】
前記記録媒体３０７はハード・ディスク装置や、フレキシブル磁気ディスクの駆動装置、光ディスク駆動装置、光磁気ディスク駆動装置、及び、フラッシュメモリなどからなる固体メモリ装置であってもよい。固体メモリ装置としては、カード型のメモリ・カードが知られている。
【０１０４】
３０８はズームキーなどの操作スイッチからなる操作部であり、画角指示を含む種々の指示をシステム制御部３０９に入力する。
【０１０５】
３０９は全体を制御するシステム制御部であり、操作部３０８からの画角指示により補正曲線データ部３１０に入っている画角制御データ（Ｃ−１）３４１、（Ｃ−２）３４２、（Ｃ−３）３４３の中から１つを選択し、記録画像の画角制御を行う。前記補正曲線データ部３１０及び前記画像制御データについては図１３を用いて後述する。
【０１０６】
画像処理部３１２では、カメラ信号処理部３０３から出力された撮影画像信号（Ｂ）３２７を、画角制御データ生成部３１１で生成された画角制御データ（Ａ）３２１に従って、切出し処理を行う。前記画角制御データ（Ａ）３２１については、図１２を用いて後述する。３１３では表示映像生成部３１６にて生成された、画像表示部３１５に表示するバッテリー情報や、撮影情報などと画像処理部３１２で切出した映像信号を合成する。
【０１０７】
表示信号処理部３１４では、デジタル映像信号が、所定の信号処理が施され、もとのアナログ映像信号に戻され、電子ビューファインダとしての、画像表示部３１５に供給される。
【０１０８】
画像制御データ（Ａ）、（Ｂ）、（Ｃ）につき、図１２を用いて詳しく説明する。
【０１０９】
図１２は各画像制御データの時間と撮像画角の関係を示すものであり、横軸に時間、縦軸に撮像画角を示している。
【０１１０】
画像制御データ（Ａ）３２１は、電子的な画角制御であり、操作部３０８からの入力に基づいており、ユーザーのズーム操作に対応した画像を切出すための制御データである。また、前記画像制御データ（Ａ）３２１は画像表示部３１５に表示する為に使用される。
【０１１１】
画像制御データ（Ｃ）３２３は、ユーザーによるズーム操作が終了し、ユーザーの目標とする画角までを、画角制御データ（Ａ）３２１のような画角変更の停止や反転がないように画角変更を行う画角制御データである。また、画角変更開始から、目標画角決定となる所定時間Ｔ０をなすｔ１までの画角変化を制御するものであり、ｔ２以降は次の画角変更が入力されるまで目標画角で固定される。また、前記画角制御データ（Ｃ）３２３により切出した撮影画像が記録媒体３０７に記録される。
【０１１２】
３２２は撮像光学系の画角であり、常にｗｉｄｅ端で画角が固定されており、前記撮像光学系の画角３２２で撮影された撮影画像がバッファメモリ３０５に仮記録される。
【０１１３】
次に、目標画角の設定方法について図１２を用いて説明する。
【０１１４】
図中示すように、ユーザーのズーム操作による撮像画角変更を終了した時点ｔ１から所定時間Ｔ０（ｔ１からｔ２まで）まで次の撮像画角の変更が無い場合には、ｔ１時点での画角を目標画角として決定する。
【０１１５】
所定時間はバッファメモリ３０５や処理能力に応じて任意に設定可能である。
【０１１６】
図１３は画像記録データを切出す画像制御データ（Ｃ）３２３の時間と撮像画角の関係を示すものであり、横軸に時間、縦軸に撮像画角を示している。これを用いて選択可能な画像制御データ（Ｃ）３２３について説明する。
【０１１７】
画角制御データは補正曲線データ３１０に収められており、システム制御部３０９からの指令に応じて適当な画角制御データを選択的に出力する。
【０１１８】
図１３は画像記録データを切出す画像制御データの時間と撮像画角の関係を示すものであり、横軸に時間、縦軸に撮像画角を示している。
【０１１９】
画角制御データ（Ｃ−１）３４１は、撮像動作開始から終了までを線形的に画角変更するものである。
【０１２０】
画角制御データ（Ｃ−２）３４２は、撮像動作開始から終了までをＷＩＤＥからＴＥＬＥに変化する際に、画角変更の初期段階は、画角変更の速度が遅くなるように画角を変更し、ＴＥＬＥ側に近づくに従って画角変更の速度が速くなるように画角変更するものである。
【０１２１】
画角制御データ（Ｃ−３）３４３は、撮像動作開始から終了までをＷＩＤＥからＴＥＬＥに変化する際に、画角変更の初期段階は、画角変更の速度が速くなるように画角を変更し、ＴＥＬＥ側に近づくに従って画角変更の速度が遅くなるように画角変更するものである。
【０１２２】
上記画角変更データは、ユーザーが任意に選択可能であっても良いし、画角変更データ（Ａ）３２１を元に、前記画角変更データ（Ａ）３２１に近いデータを自動で選択しても良い。
【０１２３】
以下、上述のような構成を備える撮像装置の撮影時の動作制御を図１４のフローチャートを用いて説明する。
【０１２４】
ステップＳ３５０にて、撮像装置に電源スイッチ（不図示）がＯＮされると撮影が開始され、フローがスタートする。
【０１２５】
ステップＳ３５１では、操作部１０８から撮像画角変更の指示があるか否かを判断する。
【０１２６】
撮像画角の変更が有る場合は、ステップ３５２へ進む。撮像画角の変更が無い場合は、ステップＳ３５１へ戻る。
【０１２７】
ステップＳ３５２では、操作部３０８から指画角変更指示に対応する画角で画像表示部の画角設定を行う。このステップＳ１５２で設定する画角が画角制御データ（Ａ）３１２である。このとき撮像光学系の画角はｗｉｄｅ端に固定してあり、電子的切出し処理により表示画像の画角設定を行う。
【０１２８】
次に、前記画角制御データの設定が終了するとステップＳ３５４に移り、撮像画像信号（Ａ）をバッファメモリ３０５に仮記録する。
【０１２９】
仮記録を終えるとステップＳ３５６に進み、操作部１０８から撮像画角変更の指示があるか否かを判断する。撮像画角に変更がある場合は、ステップＳ３５２に戻る。
【０１３０】
撮像画角に変更がない場合は、ステップＳ３５７に進み、本フローが進む中で最後に撮像画角変更を行ってから所定時間Ｔ０経過しているか否かを判断する。Ｔ０経過している場合には、Ｓ３５９に進み、Ｔ０経過していない場合は、ステップＳ３５４に戻る。
【０１３１】
ステップＳ３５９では、ステップＳ１５７において本フローが進む中で最後に撮像画角変更を行ってから所定時間Ｔ０経過していると判断した時点ｔ１での画角を目標画角として設定する。
【０１３２】
ステップＳ３６０では、撮像画角変更の開始から所定時間Ｔ０変更無しとなるまでの画角を停止あるいは反転が無いように変更させるような切出し画角を記録媒体に記録する為の記録用画角と設定する。
【０１３３】
ここで、図１１に示す補正曲線データ部３１０から切り出しを行う画角制御データ（Ｃ）３２３を図１３で説明した画角制御データ（Ｃ−１）（Ｃ−２）（Ｃ−３）から選択可能である。
【０１３４】
ステップＳ３６１では、バッファメモリ３０５に仮記録していた撮像画像情報を再生し、ステップＳ３６２で前記ステップＳ３６０で設定した画角制御データ（Ｃ）３２３により、前記ステップＳ３６１で再生した撮像画像情報を切出し処理を行う。
【０１３５】
ステップＳ３６３では、前記ステップＳ３６３で切出し処理を行った撮像画像情報を記録媒体に記録を行う。
【０１３６】
以上、説明したように本発明に係る撮像装置によれば、撮像画像を記録する際にズーム操作の行き過ぎ戻り過ぎを低減でき、ユーザーが再生画像を見る際の不快感を低減できる。
【０１３７】
また、常に最大画角での記録を行う為、ズームイン及びズームアウトの操作は電子ズームのみで実施することで撮影画像にズーム音が入り込むことが無く、画像に加えて音も良好な映像が撮影可能である。
【符号の説明】
【０１３８】
１０１，２０１，３０１  撮像光学系
１０２，２０２，３０２  撮像素子
１０３，２０３，３０３  カメラ信号処理部
１０４，２０４，３０４  記録処理部
１０５，２０５，３０５  バッファメモリ
１０６，２０６，３０６  画像処理部（画像切出し）
１０７，２０７，３０７  記録媒体
１０８，２０８，３０８  操作部
１０９，２０９，３０９  システム制御部
１１０，２１０，３１０  補正曲線データ部
１１１，２１１，３１１  画角制御データ生成部
１１２，２１２，３１２  画像処理部（画像切出し）
１１３，２１３，３１３  信号多重
１１４，２１４，３１４  表示映像信号処理部
１１５，２１５，３１５  画像表示部
１１６，２１６，３１６  表示映像生成部
１１７，２１７  変倍系エンコーダ
１１８，２１８  変倍系駆動部
１２１，２２１，３２１  画像制御データ（Ａ）
１２２，２２２  画像制御データ（Ｂ）
１２３，２２３，３２３  画像制御データ（Ｃ）
１２４，２２４  変倍系位置データ
１２５，２２５，３２５  画角指示データ
１２６，２２６，３２６  撮影画像信号（Ａ）
１２７，２２７，３２７  撮影画像信号（Ｂ）
２２８  撮影画像データ
１４１，２４１，３４１  画像制御データ（Ｃ−１）
１４２，２４２，３４２  画像制御データ（Ｃ−２）
１４３，２４３，３４３  画像制御データ（Ｃ−３）
１８１  最大撮像画角（ＷＩＤＥ端）
１８２  光学撮像画角
１８３  記録画角
１８４  表示画角
２１９  再生処理部
２２０  データ分離
【図１】
2010283649.tif 000003
【図２】
2010283649.tif 000004
【図３】
2010283649.tif 000005
【図４】
2010283649.tif 000006
【図５】
2010283649.tif 000007
【図６】
2010283649.tif 000008
【図７】
2010283649.tif 000009
【図８】
2010283649.tif 000010
【図９】
2010283649.tif 000011
【図１０】
2010283649.tif 000012
【図１１】
2010283649.tif 000013
【図１２】
2010283649.tif 000014
【図１３】
2010283649.tif 000015
【図１４】
2010283649.tif 000016